(57)【要約】【課題】空気を浄化する空気浄化部と、空気を加湿する加湿部とを備えた空気処理装置において、空気浄化部及び加湿部のそれぞれに、必要に応じた活性種供給ができるようにする。【解決手段】空気浄化部（30）には、活性種を生成する空気浄化部用放電処理部（33）を設ける。加湿部（40）には、空気浄化部用放電処理部（33）とは別個に、活性種を生成する加湿部用放電処理部（42）を設ける。空気浄化部用放電処理部（33）及び加湿部用放電処理部（42）のオンオフを制御する制御部（50）を設ける。【選択図】図１
2015124994.tif 000002
【特許請求の範囲】
【請求項１】
空気を浄化する空気浄化部（30）と、水容器（45）内に貯留された水によって空気を加湿する加湿部（40）とを備えた空気処理装置において、
上記空気浄化部（30）に設けられ、活性種を生成するように放電を行う空気浄化部用放電処理部（33）と、
上記空気浄化部用放電処理部（33）とは別個に上記加湿部（40）に設けられ、活性種を生成するように放電を行うとともに、上記水に該活性種を送り込む加湿部用放電処理部（42）と、
上記空気浄化部用放電処理部（33）及び上記加湿部用放電処理部（42）のオンオフをそれぞれ制御する制御部（50）と、
を備えたことを特徴とする空気処理装置。
【請求項２】
請求項１において、
上記水容器（45）への給水の要否を検出するための給水センサ（47）を備え、
上記制御部（50）は、上記給水センサ（47）が、給水が必要であることを示している場合には、上記加湿部用放電処理部（42）をオフに制御することを特徴とする空気処理装置。
【請求項３】
請求項１又は請求項２において、
上記空気浄化部（30）は、上記活性種が供給された空気を、空気清浄フィルタ（32）を介して送出し、
上記加湿部（40）は、上記空気浄化部（30）が送出した空気を加湿することを特徴とする空気処理装置。
【発明の詳細な説明】
【技術分野】
【０００１】
本発明は、空気を浄化する空気浄化部と、空気を加湿する加湿部とを備えた空気処理装置に関するものである。
【背景技術】
【０００２】
空気を浄化する空気浄化部と、空気を加湿する加湿部とを備えた空気処理装置が知られている（例えば特許文献１を参照）。特許文献１の例では、空気通路を通過する空気を浄化する空気浄化部と、水タンク内に貯留された水を空気中へ付与して空気を加湿する加湿ユニットとを備えている。そして、この例では、ひとつの放電処理部により、生成した活性種を含む空気の一部を空気浄化部に供給する一方、残りの活性種を含む空気を加湿部の水タンク内の水に供給している。
【先行技術文献】
【特許文献】
【０００３】
【特許文献１】特開２００９−１４８３０５号公報
【発明の概要】
【発明が解決しようとする課題】
【０００４】
しかしながら、ひとつの放電処理部を空気浄化部と加湿部とで共用すると、一方に活性種の供給が不要な場合であっても、両方にその供給が常に行われるので、消費電力などの点で不利である。
【０００５】
本発明は上記の問題に着目してなされたものであり、空気を浄化する空気浄化部と、空気を加湿する加湿部とを備えた空気処理装置において、空気浄化部及び加湿部のそれぞれに、必要に応じた活性種供給ができるようにすることを目的としている。
【課題を解決するための手段】
【０００６】
上記の課題を解決するため、第１の発明は、
空気を浄化する空気浄化部（30）と、水容器（45）内に貯留された水によって空気を加湿する加湿部（40）とを備えた空気処理装置において、
上記空気浄化部（30）に設けられ、活性種を生成するように放電を行う空気浄化部用放電処理部（33）と、
上記空気浄化部用放電処理部（33）とは別個に上記加湿部（40）に設けられ、活性種を生成するように放電を行うとともに、上記水に該活性種を送り込む加湿部用放電処理部（42）と、
上記空気浄化部用放電処理部（33）及び上記加湿部用放電処理部（42）のオンオフをそれぞれ制御する制御部（50）と、
を備えたことを特徴とする。
【０００７】
この構成では、空気浄化部（30）における活性種の供給有無と、加湿部（40）における活性種の供給有無を独立して制御できる。
【０００８】
また、第２の発明は、
第１の発明において、
上記水容器（45）への給水の要否を検出するための給水センサ（47）を備え、
上記制御部（50）は、上記給水センサ（47）が、給水が必要であることを示している場合には、上記加湿部用放電処理部（42）をオフに制御することを特徴とする。
【０００９】
この構成では、水容器（45）に給水が必要な場合には、加湿部（40）における活性種の供給が止められる。
【００１０】
また、第３の発明は、
第１又は第２の発明において、
上記空気浄化部（30）は、上記活性種が供給された空気を、空気清浄フィルタ（32）を介して送出し、
上記加湿部（40）は、上記空気浄化部（30）が送出した空気を加湿することを特徴とする。
【００１１】
この構成では、空気浄化部（30）によって浄化された後の空気が加湿される。
【発明の効果】
【００１２】
第１の発明によれば、空気浄化部（30）用の空気浄化部用放電処理部（33）と、加湿部（40）用の加湿部用放電処理部（42）とをそれぞれ別個に設けたので、空気浄化部（30）及び加湿部（40）に対して、活性種供給の有無を別個に制御できる。
【００１３】
また、第２の発明によれば、水容器（45）に給水が必要な場合に加湿部（40）における活性種の供給が止められるので、消費電力の低減が可能になる。
【図面の簡単な説明】
【００１４】
【図１】図１は、本発明の実施形態に係る空気清浄機の斜視図である。
【図２】図２は、空気清浄機の断面図である。
【図３】図３は、空気浄化部用放電処理部及び加湿部用放電処理部の制御パターンを例示する。
【発明を実施するための形態】
【００１５】
以下、本発明の実施形態について図面を参照しながら説明する。なお、以下の実施形態は、本質的に好ましい例示であって、本発明、その適用物、あるいはその用途の範囲を制限することを意図するものではない。
【００１６】
《発明の実施形態》
本実施形態では、本発明の空気処理装置の一例として、加湿機能と空気清浄機能とを有した空気清浄機の例を説明する。
【００１７】
図１は、本発明の実施形態に係る空気清浄機（10）の斜視図である。図１は、内部構造が見えるように側面のパネルを外した態様で記載してある。また、図２は、空気清浄機（10）の断面図である。図１及び図２に示すように、空気清浄機（10）は、本体ケーシング（20）、空気浄化部（30）、加湿部（40）、及び制御部（50）を備えている。
【００１８】
〈本体ケーシング（20）〉
本体ケーシング（20）は、縦長の箱状に形成され、その内部には、下から順に、送風室（20a）、空気清浄室（20b）、及び加湿室（20c）が形成されている。この加湿室（20c）と空気清浄室（20b）との間には第２開口（20e）が設けられている。第２開口（20e）は、空気清浄室（20b）から送られた空気を加湿室（20c）へ通す。そして、加湿室（20c）に流入した空気は、本体ケーシング（20）の上部に設けられた吹出口（10b）から室内に吹き出される（図２の２点鎖線を参照）。そして、本体ケーシング（20）では、この送風室（20a）から、空気清浄室（20b）にわたって、後述の空気浄化部（30）が形成され、加湿室（20c）内に加湿部（40）が配置されている。
【００１９】
〈空気浄化部（30）〉
空気浄化部（30）は、送風装置（31）、空気清浄フィルタ（32）、及び空気浄化部用放電処理部（33）を備えている。
【００２０】
−送風装置（31）−
送風装置（31）は、送風室（20a）に配置されている。この例では、送風装置（31）は、風量が安定するシロッコファンである。この送風装置（31）は、本体ケーシング（20）に形成された吸込口（10a）を介して室内の空気を吸入する。また、送風装置（31）は、ファン吹出口（31a）が、送風室（20a）と空気清浄室（20b）との間に設けられている第１開口（20d）に嵌合している。この第１開口（20d）は、送風室（20a）から空気清浄室（20b）へ空気を通すように構成されている。そのため、ファン吹出口（31a）から吹き出した空気は空気清浄室（20b）に入る。
【００２１】
−空気清浄フィルタ（32）−
図１に示すように、空気清浄フィルタ（32）は、プレフィルタ（32a）、フィルタ（32b）、及び脱臭エレメント（32c）で構成されている。空気流れの上流側からプレフィルタ（32a）、フィルタ（32b）及び脱臭エレメント（32c）の順となるように、空気清浄室（20b）に配置されている。
【００２２】
プレフィルタ（32a）は、薄くて柔らかい樹脂製のネットであり、空気に含まれる粒子の大きな埃などを除去する。また、フィルタ（32b）は、プレフィルタ（32a）では除去できない微細な埃などを除去する。脱臭エレメント（32c）は、空気に含まれる不快な臭いの成分を吸収する。
【００２３】
−空気浄化部用放電処理部（33）−
空気浄化部用放電処理部（33）には、棒状あるいは線状の電極と、平板状の電極とが設けられている。両者の電極は、互いに平行に配置されている。電源から両電極に電圧が印加されると、棒状の電極の先端から平板状の電極に向かってストリーマ放電が生起される。このストリーマ放電により、空気中には活性種（ラジカル、オゾン、高速電子、励起分子等）が発生する。
【００２４】
空気浄化部用放電処理部（33）で生成された活性種は、送風装置（31）のファン吹出口（31a）から出た空気（詳しくは空気清浄フィルタ（32）に入る前の空気）に放出される。そして、この活性種が空気中の被処理成分と反応することで、この被処理成分が酸化分解されて除去される。
【００２５】
なお、空気浄化部用放電処理部（33）では、棒状あるいは線状の電極が正極側となり、平板状の電極が負極（若しくはアース極）側となっている。また、この例では、電源から空気浄化部用放電処理部（33）へは、直流の高圧電圧が供給されるとともに、空気浄化部用放電処理部（33）の放電電流が一定となるような、いわゆる定電流制御が行われる。
【００２６】
〈加湿部（40）〉
図１等に示すように、加湿部（40）は、加湿エレメント（41）、加湿部用放電処理部（42）、タンク（45）、及びトレイ（46）、を備えている。
【００２７】
−タンク（45）−
タンク（45）は、加湿に使用する水を貯留する容器（水容器）である。タンク（45）の下側には、注水口（45a）が形成され、貯留した水をトレイ（46）に供給する。また、タンク（45）には、給水センサ（47）が設けられている。この給水センサ（47）は、タンク（45）の水量が、給水が必要な量まで低下したら所定の信号を制御部（50）に出力するようになっている。
【００２８】
−加湿部用放電処理部（42）−
加湿部用放電処理部（42）は、概ね空気浄化部用放電処理部（33）と同様の構造をしている。具体的に、加湿部用放電処理部（42）においても、棒状あるいは線状の電極と、平板状の電極とが設けられている。両者の電極は、互いに平行に配置されている。電源から両電極に電圧が印加されると、棒状の電極の先端から平板状の電極に向かってストリーマ放電が生起される。このストリーマ放電により、活性種（ラジカル、オゾン、高速電子、励起分子等）が発生する。
【００２９】
加湿部用放電処理部（42）で生成された活性種を含む空気は、送風ポンプ（44）によって、トレイ（46）内の水に供給される。
【００３０】
−トレイ（46）−
トレイ（46）には、加湿エレメント（41）を浸漬させるための水が溜められる。この例では、トレイ（46）は、タンク（45）の注水口（45a）と連通しており、注水口（45a）を介して、該タンク（45）内の水が流入し、トレイ（46）は所定水位まで水で満たされる。このタンク（45）は、本発明の水容器の一例である。
【００３１】
−加湿エレメント（41）−
加湿エレメント（41）は、トレイ（46）の上方に配置されている。加湿エレメント（41）は、ループ状に成形されており、鉛直方向に互いに離れた２つのローラーによって所定の張力が作用するように内側を支持されている。
【００３２】
２つのローラーのうちの下側のローラーは、加湿エレメント（41）の下部とともにトレイ（46）の水中に浸漬している。
【００３３】
上側のローラーは、その回転軸の延長線上にギアが固定され、このギアは、モータ（図示を省略）によって駆動される。そして、モータが回転することによって、その回転力がギアを介して上側のローラーに伝達され、その結果、加湿エレメント（41）が周回することになる。
【００３４】
〈制御部（50）〉
制御部（50）は、マイクロコンピュータ（図示は省略）とそれを動作させるためのプログラムとを含んでいる。本実施形態では、制御部（50）は、空気清浄室（20b）内に設けられている。この制御部（50）は、空気浄化部用放電処理部（33）及び加湿部用放電処理部（42）のオンオフを制御する。その制御を行うために、制御部（50）には、給水センサ（47）の信号、ユーザが操作するスイッチの信号、リモートコントローラからの信号を受信して得た信号等が入力されている。
【００３５】
〈運転動作〉
−空気清浄動作−
空気清浄機（10）の電源がオンされた後に、例えば、ユーザによって空気清浄モードが選択されると、送風装置（31）が運転を開始する。その結果、図２に２点鎖線で示した経路で空気が流れる。具体的には、まず、吸込口（10a）から空気が送風装置（31）に吸入され、該送風装置（31）の吹き出し口から流れ出す。
【００３６】
一方、空気浄化部（30）では、後に詳述するように、制御部（50）によって、空気浄化部用放電処理部（33）のオンオフが制御される。例えば、空気浄化部用放電処理部（33）がオンに制御されると、互いに対向する電極の間で、ストリーマ放電が行われる。その結果、空気浄化部用放電処理部（33）では、上記活性種が発生する。この活性種は、送風装置（31）から吹き出された空気と合流し、該空気中の被処理成分と反応する。それにより、空気の除菌や脱臭が行われる。
【００３７】
空気浄化部用放電処理部（33）によって処理された空気は、空気清浄室（20b）に送り込まれ、空気清浄フィルタ（32）を通過する。空気清浄フィルタ（32）を通過する空気は、先ず、プレフィルタ（32a）で空気に含まれる比較的粒子の大きな埃などが除去され、次に、フィルタ（32b）で粒子の小さい埃が除去される。フィルタ（32b）を通過した空気は、さらに脱臭エレメント（32c）を通過する際に、その空気に含まれる不快な臭い成分が吸着される。
【００３８】
このように、空気清浄機（10）では、空気浄化部用放電処理部（33）と空気清浄フィルタ（32）とによって、空気清浄が行われる。そして、空気清浄フィルタ（32）を通過した空気は、第２開口（20e）を通過して加湿室（20c）に入る。
【００３９】
−加湿動作−
例えば、ユーザによって加湿モードが選択されると、空気清浄機（10）では、加湿エレメント（41）を支持しているローラーがモータによって回転駆動される。それにより、加湿エレメント（41）が周回する。加湿エレメント（41）の下部はトレイ（46）の水中に浸漬しているので、加湿エレメント（41）の周回に伴って、加湿エレメント（41）の水分を含んだ部分が、空気にさらされる。空気清浄室（20b）から加湿室（20c）に入った空気は、加湿エレメント（41）に含まれている水の気化を促進させ、加湿空気となる。この加湿空気が吹出口（10b）から吹き出される。このようにして、本実施形態では、空気の加湿が行われる。
【００４０】
一方、加湿部（40）では、後に詳述するように、制御部（50）によって、加湿部用放電処理部（42）のオンオフが制御される。例えば、加湿部用放電処理部（42）がオンに制御されると、互いに対向する電極の間で、ストリーマ放電が行われる。その結果、加湿部用放電処理部（42）では、上記活性種が発生する。この活性種は、送風ポンプ（44）によって、タンク（45）内の水に供給される。タンク（45）内の水に供給された活性種は、水中に含まれている有害物質の酸化分解や、殺菌を行う。
【００４１】
−放電処理部のオンオフ制御−
本実施形態では、空気清浄機（10）の状況等に応じて、空気浄化部用放電処理部（33）及び加湿部用放電処理部（42）のオンオフの制御が適宜行われる。このオンオフの制御は、制御部（50）が行う。
【００４２】
図３は、空気浄化部用放電処理部（33）及び加湿部用放電処理部（42）の制御パターンを例示する。この例では、空気清浄動作と加湿動作とにおいて、それぞれ６つの制御パターンを選択できる。なお、図３において、給水センサ（47）がオンとは、タンク（45）に給水が必要な状態（例えばタンク（45）に水がない場合）のことをいうものとする。
【００４３】
図３の例では、例えば、制御部（50）は、給水センサ（47）の出力に応じて加湿部用放電処理部（42）のオンオフを切り換える。すなわち、給水センサ（47）が、給水が必要であることを示している場合には、制御部（50）は、加湿部用放電処理部（42）をオフに制御する（図３の運転モードM1,M2,M7,M8参照）。そうすることで消費電力の低減が可能になる。
【００４４】
また、空気清浄動作や加湿動作の際に、発生するオゾンの臭いが気になる場合には、ユーザの操作（例えばユーザによるリモートコントローラの操作）に応じて、制御部（50）は、空気浄化部用放電処理部（33）又は加湿部用放電処理部（42）をオフにする。例えば、運転モードM4は、空気清浄動作の際に、空気に活性種を供給する必要がない場合の運転モードであり、制御部（50）が、加湿部用放電処理部（42）のみをオンに制御している。また、運転モードM5は、タンク（45）の水が十分浄化されている場合の運転モードであり、空気浄化部用放電処理部（33）のみをオンに制御している。加湿動作においても空気清浄動作と同様に、運転モードM10,M11では、空気浄化部用放電処理部（33）及び加湿部用放電処理部（42）の一方のみをオンに制御している。空気浄化部用放電処理部（33）或いは加湿部用放電処理部（42）の動作を制限することで、発生するオゾンの臭いを低減でき、ユーザの不快感が低減する。
【００４５】
また、空気浄化部用放電処理部（33）や加湿部用放電処理部（42）における放電音が気になるときには、ユーザの操作に応じて、制御部（50）は、両者をオフにする（運転モードM6,M12）。これによっても、ユーザの不快感が低減する。
【００４６】
〈本実施形態における効果〉
以上のように本実施形態によれば、空気浄化部（30）用の空気浄化部用放電処理部（33）と、加湿部（40）用の加湿部用放電処理部（42）とをそれぞれ別個に設けたので、空気浄化部（30）における活性種の供給有無と、加湿部（40）における活性種の供給有無を独立して制御できる。すなわち、空気清浄機（10）では、空気浄化部（30）及び加湿部（40）に対して、必要に応じた活性種供給が可能になる。
【００４７】
《その他の実施形態》
なお、空気浄化部用放電処理部（33）や加湿部用放電処理部（42）の配置場所は例示である。
【産業上の利用可能性】
【００４８】
本発明は、空気を浄化する空気浄化部と、空気を加湿する加湿部とを備えた空気処理装置として有用である。
【符号の説明】
【００４９】
１０      空気清浄機（空気処理装置）
３０      空気浄化部
３２      空気清浄フィルタ
３３      空気浄化部用放電処理部
４０      加湿部
４２      加湿部用放電処理部
４５      タンク（水容器）
４７      給水センサ
５０      制御部
【図１】
2015124994.tif 000003
【図２】
2015124994.tif 000004
【図３】
2015124994.tif 000005